【事件の表示】
　特許第３００２４５６号「建具」の請求項１ないし３に係る特許に対する特許異議の申立てについて、次のとおり決定する。
【結　論】
　訂正を認める。
　特許第３００２４５６号の請求項１ないし３に係る特許を維持する。
【理　由】
１．手続の経緯
　本件特許第３００２４５６号（優先権主張　平成１０年９月３日）に係る出願は、平成１０年１０月１４日の出願であって、平成１１年１１月１２日に特許の設定登録がなされ、その後、吉村恵子から特許異議の申立がなされ、取消理由が通知され、その指定期間内である平成１２年１２月１４日に訂正請求がなされたものである。
　
２．訂正の要旨
　訂正事項ａ：特許請求の範囲の請求項１を、「建具本体に設けた開口部に、透光板、又は通気ガラリなどを含む板状部材を、この板状部材を囲む額縁部材を用いて取り付けた建具であって、額縁部材は、前記板状部材の周縁を保持して該板状部材を囲む第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され、かつ該連結部材は、前記開口部の内周面に当接しうる案内部を具えるとともに、該案内部は、前記開口部の内周面に食い込んで係止されることにより該案内部を前記内周面で保持する係止片を有することを特徴とする建具。」と訂正する。
　訂正事項ｂ：特許請求の範囲の請求項３を、「前記連結ピースは、前記第１又は第２の額縁枠に設けた爪状部に係止される受部を有してこの第１又は第２の額縁枠に取り付けられかつ前記係止嵌合部を有する結合部と、前記案内部とを一体に具えることを特徴とする請求項２記載の建具。」と訂正する。
　訂正事項ｃ：特許請求の範囲の請求項４を「前記結合部は、保持された前記案内部に対して、前記建具本体の厚さ方向に弾性的に移動可能であることを特徴とする請求項３記載の建具。」と訂正する。
　訂正事項ｄ：段落【０００７】の記載を、「【課題を解決するための手段】本発明は、建具本体に設けた開口部に、透光板、又は通気ガラリなどを含む板状部材を、この板状部材を囲む額縁部材を用いて取り付けた建具であって、額縁部材は、前記板状部材の周縁を保持して該板状部材を囲む第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され、かつ該連結部材は、前記開口部の内周面に当接しうる案内部を具えるとともに、該案内部は、前記開口部の内周面に食い込んで係止されることにより該案内部を前記内周面で保持する係止片を有することを特徴とする建具である。」と訂正する
　訂正事項ｅ：段落【０００８】の記載を、「前記連結部材は、前記第１又は第２の額縁枠に取り付けられ、かつ複数の連結ピースからなることもでき、又前記連結ピースは、前記第１又は第２の額縁枠に設けた爪状部に係止される受部を有してこの第１の額縁枠に取り付けられかつ前記係止嵌合部を有する結合部と、前記案内部とを一体に具えることも可能である。又爪状部の係止面と係止嵌合部の係止面とを直交させる向きとすることもできる。」と訂正する。
　訂正事項ｆ：段落【０００９】の記載を、「さらに、前記結合部は、保持された前記案内部に対して、前記建具本体の厚さ方向に弾性移動可能とすることもでき、又前記受部は、切欠き部、膨出部、切り起こし部、又はクッション材のいずれかからなることもできる。」と訂正する。
　訂正事項ｇ：段落【００１９】の２行目の「図５」の記載を「図４」に訂正する。
　
３．訂正の適否
（１）訂正の目的の適否、新規事項の有無及び拡張・変更の存否
　上記訂正事項ａ〜ｃに係る訂正は、特許請求の範囲の減縮を目的とするものであり、いずれの訂正も、願書に添付した明細書又は図面に記載した事項の範囲内のものであり、さらに、実質上特許請求の範囲を拡張し、又は変更するものではない。
　また、訂正事項ｄ〜ｆに係る訂正は、訂正事項ａ〜ｃに関連してなされた明りょうでない記載の釈明に該当し、訂正事項ｇに係る訂正は、誤記の訂正に該当し、いずれの訂正も、願書に添付した明細書又は図面に記載した事項の範囲内のものであり、さらに、実質上特許請求の範囲を拡張し、又は変更するものではない。
（２）独立特許要件の判断
　特許異議の申立がされていない請求項４ないし６について訂正されている（請求項５，６に関しては、いずれも訂正された請求項３を引用している）ので、訂正明細書の請求項４ないし６に係る発明について、独立特許要件の判断をする。
　訂正明細書の請求項４ないし６に係る発明は、訂正明細書の特許請求の範囲の請求項４ないし６に記載されたとおりのものであり（以下、「訂正後発明４」、「訂正後発明５」及び「訂正後発明６」という。）、いずれも、訂正明細書の請求項３を引用しており、訂正明細書の請求項３に係る発明（以下、「訂正後発明３」という。）は、訂正明細書の請求項２を引用しており、訂正明細書の請求項２に係る発明（以下、「訂正後発明２」という。）は、訂正明細書の請求項１を引用しており、訂正明細書の請求項１に係る発明（以下、「訂正後発明１」という。）は、訂正明細書の請求項１に記載されたとおりのものであるから、訂正後発明１の独立特許要件を検討する。
　これに対して、当審が先に通知した取消理由で提示し、異議申立人が甲第１号証として提出した特開平８−６０９４４号公報（以下、「引用例１」という。）には、第３頁第３欄第９〜３７行の記載及び図１，２を参照すると、「ドアの中央に開口部を設け、その開口部の内周面内に窓板のガラスを位置させ、室内側と屋外側から額縁を複数の連結具を介して挟み込むことによって固定した断熱ドアであって、室内側額縁と屋外側額縁は共に、鉤状の２本の係止ひだを長手方向に有した同一形状の型材であり、連結具の一端両側に設けた係止溝に屋外側額縁に設けられた２本の係止ひだを嵌挿することにより予め一体に組み立てておき、連結具の先端両側ひだ状の嵌入係止部に室内側額縁の２本の係止ひだを係止してなる断熱ドア」及び連結具はどちらに向けて用いてもよいこと、さらに図２には、連結具のひだ状の嵌入係止部を有する先端部と室内側額縁の鉤状の２本の係止ひだとは、係止突部と係止凹部の関係にあること及び連結具の開口部の内周面側側面は、窓板固定状態で、開口部の内周面に当接していることが記載されている。
　また、同じく、当審が先に通知した取消理由で提示し、甲第３号証として提出した特開平１０−７２９８１号公報（以下、「引用例２」という。）には、第２頁第２欄第２２〜２９行、第３頁第３欄第３１〜３８行、同第４５〜４８行の記載及び図１，３を参照すると、「建具本体に設けた開口部に、透光板、通気ガラリを含む板状部材を、この板状部材を囲む額縁材の一方の額縁材に設けられた条溝と、他方の額縁材に設けられた突片を建具本体の両面から互いに嵌着することにより支持させる建具であって、額縁材は、開口部の周囲に取付けられる矩形枠状であって、一方の額縁材には、板状部材の開口側周縁部を保持する溝が形成されている」ことが記載されている。
　訂正後発明１と、上記引用例１に記載された発明とを比較すると、引用例１に記載された発明の「ドア」、「窓板のガラス」、「連結具」及び「断熱ドア」は、それぞれの機能に照らし、各々、訂正後発明１の「建具本体」、「板状部材」、「連結部材」及び「建具」に相当し、引用例１に記載された発明の「開口部の内周面に当接している連結具の開口部の内周面側側面」は、訂正後発明１の「開口部の内周面に当接しうる案内部」に対応し、また、引用例１に記載された発明において、連結具はどちらに向けて用いてもよいとあるから、引用例１に記載された発明の「室内側額縁」と「屋外側額縁」は、訂正後発明１の「第１の額縁材」又は「第２の額縁材」のいずれかに対応し、さらに、連結具のひだ状の嵌入係止部を有する先端部と室内側額縁の鉤状の２本の係止ひだとは、係止突部と係止凹部の関係にあるということは、訂正後発明１における、第１の額縁枠、第２の額縁枠は、係止嵌合部である互いに嵌着係合する係止突部と係止凹部のいずれか一方をそれぞれ具え、第１又は第２の額縁枠の係止嵌合部は、第１又は第２の額縁枠に取り付けられた連結部材に形成されたという構成と、実質的に同じであるから、両者は、建具本体に設けた開口部に、透光板などを含む板状部材を、この板状部材を囲む額縁部材を用いて取り付けた建具であって、額縁部材は、第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され、かつ該連結部材は、前記開口部の内周面に当接しうる案内部を具えている建具点で一致し、下記の点で相違している。
ａ．訂正後発明１では、第１の額縁枠が板状部材の周縁を保持して板状部材を囲んでいるのに対し、引用例１に記載された発明では、室内側額縁と屋外側額縁で窓板のガラスの周縁を保持して窓板のガラスを囲んでいる点。
ｂ．案内部は、訂正後発明１では、開口部の内周面に食い込んで係止されることにより該案内部を前記内周面で保持する係止片を有しているのに対し、引用例１に記載された発明では、そのような構成を有していない点。
　一方、引用例２には、建具本体に設けた開口部に、透光板、通気ガラリを含む板状部材を、この板状部材を囲む額縁材を用いて取り付けた建具において、一方の額縁材には、板状部材の開口側周縁部を保持する溝が形成されていることが記載されており、ここで、「額縁材」は、訂正後発明１の「額縁枠」に相当するから、引用例２には、上記相違点ａにおける訂正後発明１の構成が記載されているといえ、これを、引用例１に記載された発明の一方の額縁に採用することは、当業者が適宜なし得ることにすぎない。
　しかしながら、上記相違点ｂにおける訂正後発明１の、案内部は、開口部の内周面に食い込んで係止されることにより該案内部を前記内周面で保持する係止片を有しているという構成は、引用例２にも記載されておらず、この構成により訂正後発明１は、明細書記載の、「案内部が内周面で保持される係止片が戻りを防ぎ、・・遊びをなくししかも開口部の形成誤差を吸収して取り付けうるとともに、建具本体の反転に際しても第１の額縁枠の抜け落ちを効果的に防止する。」という作用効果を奏するものであるから、本件訂正後発明１は、上記引用例１及び２に記載された発明に基づいて当業者が容易に発明をすることができたものとはいえない。また、他に本件訂正後発明１が独立して特許を受けることができない理由を発見しない。
　そして、上記したように、訂正後発明４ないし６はいずれも、訂正後発明１を更に技術的に限定したものであるから、上記本件訂正後発明１についての判断と同様の理由により、上記引用例１及び２に記載された発明に基づいて当業者が容易に発明をすることができたものともいえない。
　したがって、本件訂正後発明４ないし６は、特許出願の際、独立して特許を受けることができるものである。
（３）訂正の適否のむすび
　以上のとおりであるから、上記訂正は、特許法第１２０条の４第２項及び第３項で準用する特許法第１２６条第２〜４項の規定に適合するので、当該訂正を認める。
　
４．異議の申立てについての判断
（１）本件訂正後発明
　訂正明細書の請求項１ないし３に係る発明（以下、「訂正後発明１」、「訂正後発明２」及び「訂正後発明３」という。）は、訂正明細書の特許請求の範囲の請求項１ないし３に記載された以下のとおりのものである。
【請求項１】　建具本体に設けた開口部に、透光板、又は通気ガラリなどを含む板状部材を、この板状部材を囲む額縁部材を用いて取り付けた建具であって、額縁部材は、前記板状部材の周縁を保持して該板状部材を囲む第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され、かつ該連結部材は、前記開口部の内周面に当接しうる案内部を具えるとともに、該案内部は、前記開口部の内周面に食い込んで係止されることにより該案内部を前記内周面で保持する係止片を有することを特徴とする建具。
【請求項２】　前記連結部材は、前記第１又は第２の額縁枠に取り付けられ、かつ複数の連結ピースからなることを特徴とする請求項１記載の建具。
【請求項３】　前記連結ピースは、前記第１又は第２の額縁枠に設けた爪状部に係止される受部を有してこの第１又は第２の額縁枠に取り付けられかつ前記係止嵌合部を有する結合部と、前記案内部とを一体に具えることを特徴とする請求項２記載の建具。
（２）申立ての理由の概要
　申立人吉村恵子は、証拠として甲第１号証（特開平８−６０９４４号公報）、甲第２号証（特開平７−３１７４４８号公報）及び甲第３号証（特開平１０−７２９８１号公報）を提出して、本件請求項１ないし３に係る特許発明は、本件特許出願前に国内において頒布された甲第１号証ないし甲第３号証に記載された発明を組み合わせることにより当業者が容易に発明できたものであり、特許法第２９条第２項に該当するから、本件の特許を取り消すべきであると主張している。
（３）判断
　上記甲第１及び３号証刊行物は、取消理由通知に引用した引用例１及び２と同じであり、前記３．（２）独立特許要件の判断で示したように、本件訂正後発明１は、甲第１号証及び甲第３号証に記載された発明を組み合わせることにより当業者が容易に発明できたものであるとはいえず、さらに、甲第２号証刊行物にも、案内部は、開口部の内周面に食い込んで係止されることにより該案内部を前記内周面で保持する係止片を有しているという構成は記載されていないから、本件訂正後発明１は、甲第１号証ないし甲第３号証に記載された発明を相互に組み合わせることにより当業者が容易に発明できたものであるとはいえない。また、本件訂正後発明２は本件訂正後発明１を、本件訂正後発明３は本件訂正後発明２を更に技術的に限定したものであるから、いずれも、上記本件訂正後発明１についての判断と同様の理由により、上記甲第１号証ないし甲第３号証に記載された発明を組み合わせることにより当業者が容易に発明できたものであるとはいえない。
　
５．むすび
　以上のとおりであるから、異議申立ての理由及び証拠によっては、本件訂正後発明１ないし３に係る特許を取り消すことはできない。
　また、他に本件訂正後発明１ないし３に係る特許を取り消すべき理由を発見しない。
　よって、結論のとおり決定する。
【異議決定日】
平成１３年１月１７日（２００１．１．１７）
【訂正の要旨】
訂正の要旨
　特許第３００２４５６号の明細書を、特許請求の範囲の減縮を目的として訂正事項ａ〜ｃのように、また、訂正事項ａ〜ｃに関連してなされた明りょうでない記載の釈明を目的として訂正事項ｄ〜ｆのように、さらに、誤記の訂正を目的として訂正事項ｇのように訂正する。
　訂正事項ａ：特許請求の範囲の請求項１を、「建具本体に設けた開口部に、透光板、又は通気ガラリなどを含む板状部材を、この板状部材を囲む額縁部材を用いて取り付けた建具であって、額縁部材は、前記板状部材の周縁を保持して該板状部材を囲む第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され、かつ該連結部材は、前記開口部の内周面に当接しうる案内部を具えるとともに、該案内部は、前記開口部の内周面に食い込んで係止されることにより該案内部を前記内周面で保持する係止片を有することを特徴とする建具。」と訂正する。
　訂正事項ｂ：特許請求の範囲の請求項３を、「前記連結ピースは、前記第１又は第２の額縁枠に設けた爪状部に係止される受部を有してこの第１又は第２の額縁枠に取り付けられかつ前記係止嵌合部を有する結合部と、前記案内部とを一体に具えることを特徴とする請求項２記載の建具。」と訂正する。
　訂正事項ｃ：特許請求の範囲の請求項４を「前記結合部は、保持された前記案内部に対して、前記建具本体の厚さ方向に弾性的に移動可能であることを特徴とする請求項３記載の建具。」と訂正する。
　訂正事項ｄ：段落【０００７】の記載を、「【課題を解決するための手段】本発明は、建具本体に設けた開口部に、透光板、又は通気ガラリなどを含む板状部材を、この板状部材を囲む額縁部材を用いて取り付けた建具であって、額縁部材は、前記板状部材の周縁を保持して該板状部材を囲む第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され、かつ該連結部材は、前記開口部の内周面に当接しうる案内部を具えるとともに、該案内部は、前記開口部の内周面に食い込んで係止されることにより該案内部を前記内周面で保持する係止片を有することを特徴とする建具である。」と訂正する
　訂正事項ｅ：段落【０００８】の記載を、「前記連結部材は、前記第１又は第２の額縁枠に取り付けられ、かつ複数の連結ピースからなることもでき、又前記連結ピースは、前記第１又は第２の額縁枠に設けた爪状部に係止される受部を有してこの第１の額縁枠に取り付けられかつ前記係止嵌合部を有する結合部と、前記案内部とを一体に具えることも可能である。又爪状部の係止面と係止嵌合部の係止面とを直交させる向きとすることもできる。」と訂正する。
　訂正事項ｆ：段落【０００９】の記載を、「さらに、前記結合部は、保持された前記案内部に対して、前記建具本体の厚さ方向に弾性移動可能とすることもでき、又前記受部は、切欠き部、膨出部、切り起こし部、又はクッション材のいずれかからなることもできる。」と訂正する。
　訂正事項ｇ：段落【００１９】の２行目の「図５」の記載を「図４」に訂正する。
（５４）【発明の名称】
建具
（５７）【特許請求の範囲】
　　【請求項１】
　建具本体に設けた開口部に、透光板、又は通気ガラリなどを含む板状部材を、この板状部材を囲む額縁部材を用いて取り付けた建具であって、
　額縁部材は、前記板状部材の周縁を保持して該板状部材を囲む第１の額縁枠と、第２の額縁枠とからなり、
　第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、
　前記第１又は第２の額縁枠の前記係止嵌合部は、該第１又は第２の額縁枠に取り付けられた連結部材に形成され
、
　
かつ該連結部材は、前記開口部の内周面に当接しうる案内部を具えるとともに、該案内部は、前記開口部の内周面に食い込んで係止されることにより該案内部を前記内周面で保持する係止片を有する
　　【請求項２】
　前記連結部材は、前記第１又は第２の額縁枠に取り付けられ、かつ複数の連結ピースからなることを特徴とする請求項１記載の建具。
　　【請求項３】
　前記連結ピースは、前記第１又は第２の額縁枠に設けた爪状部に係止される受部を有してこの第１又は第２の額縁枠に取り付けられかつ前記係止嵌合部を有する結合部と、前
記案
　　【請求項４】
＿前記結合部は、保持された前記案内部に対して、前記建具本体の厚さ方向に弾性的に移動可能であることを特徴とする請求項３記載の建具。
　　【請求項５】
　前記受部は、前記結合部に形成した切欠き部、膨出部、切り起こし部、又は前記結合部に添設したクッション材のいずれかからなることを特徴とする請求項３記載の建具。
　　【請求項６】
　前記爪状部の係止面と、係止嵌合部の係止面とが直交する向きにあることを特徴とする請求項３記載の建具。
【発明の詳細な説明】
　　　【０００１】
　　【発明の属する技術分野】
　本発明は、透光板、通気ガラリなどの板状部材を、建具本体に設けた開口部に安定して施工性よく取付けうる建具に関する。
　　　【０００２】
　　【従来の技術】
　建具本体に開口部を設け、この開口部に、ガラス板、プラスチック板等の透光板、通気ガラリなどを取付けた開き戸、引き戸などの建具が普及している。
　　　【０００３】
　このような建具として、本発明者は、特開平１０−７２９８１号公報において、透光板、通気ガラリなどの板状部材の周縁を保持して該板状部材を囲む第１の額縁枠と、第２の額縁枠とからなり、両者の係止突部、係止凹部（係止嵌合部と総称する）の嵌着によって互いに結合し、建具本体の前記開口部に取り付ける額縁部材を用いる建具を提案している。
　　　【０００４】
　　【発明が解決しようとする課題】
　しかしながら、この提案の建具の額縁部材においては、前記係止嵌合部である係止突部、係止凹部はともに第１，２の額縁枠をなす枠材の全長に亘って例えばその枠材の押出し成形に際して連続して形成されていた。
　　　【０００５】
　このために、第１，第２の額縁枠の結合のためにはその全長さにわたり、係止嵌合部を順次互いに嵌着しなければならず、施工性に劣るとともに、枠材自体に一体に係止突部、又は係止凹部を連続して形成することは構造がややもすると複雑となりやすく、生産性に劣る場合が生じる。
　　　【０００６】
　本発明は、係止嵌合部の少なくとも一方を連結部材を用いて形成することにより、枠材に一体に係止嵌合部を設ける必要を減じ、構造を簡略化し成形性を向上するとともに、両者の嵌着を部分的となしえてその組立作業を容易とし、施工性を向上しうる建具の提供を目的としている。
　　　【０００７】
　　【課題を解決するための手段】
　本発明は、建具本体に設けた開口部に、透光板、又は通気ガラリなどを含む板状部材を、この板状部材を囲む額縁部材を用いて取り付けた建具であって、額縁部材は、前記板状部材の周縁を保持して該板状部材を囲む第１の額縁枠と、第２の額縁枠とからなり、第１の額縁枠、第２の額縁枠は、前記建具本体の前記開口部に各反対側の面から挿入されることにより、係止嵌合部である互いに嵌着係合する係止突部と係止凹部のいずれか一方をそれぞれ具え、かつ嵌着係合により前記板状部材は前記開口部の内周面内に位置するとともに、前記第１又は第２の額縁枠の前記係止嵌合部は、該第１又は第２の額縁枠に取り付けられた連結部材に形成され
、かつ該連結部材は、前記開口部の内周面に当接しうる案内部を具えるとともに、該案内部は、前記開口部の内周面に食い込んで係止されることにより該案内部を前記内周面で保持する係止片を有す
　　　【０００８】
　前記連結部材は、前記第１又は第２の額縁枠に取り付けられ、かつ複数の連結ピースからなることもでき、又前記連結ピースは、前記第１又は第２の額縁枠に設けた爪状部に係止される受部を有してこの第１の額縁枠に取り付けられかつ前記係止嵌合部を有する結合部と、前記案内部とを一体に具えることも可能である。又爪状部の係止面と係止嵌合部の係止面とを直交させる向きとすることもできる。
　　　【０００９】
　さら
に、前
　　　【００１０】
　　【発明の実施の形態】
　以下本発明の実施の形態の一例を図面に基づき説明する。
　図において本発明の建具１は、建具本体２に設けた開口部３に、透光板４Ａ、通気ガラリ４Ｂなどの板状部材４を、額縁部材５を用いて取り付けており、また額縁部材５は、図２に示すごとく、前記板状部材４の周縁を保持して該板状部材４を囲む第１の額縁枠７と、第２の額縁枠９とからなる。
　　　【００１１】
　また本例では第１の額縁枠７に、図６〜図９、図１１〜１３（図１３は各部材の形状を単純化して部材配置のみを示している）に例示する連結部材１１が取り付けられ、さらにこの連結部材１１に本例では係止突部１３を形成して、第２の額縁枠９の係止凹部１４（図６、図７などに示す）（係止突部１３、係止凹部１４を総称して係止嵌合部１２という）に嵌着係合させることにより、額縁部材５を建具本体２に取り付けている。なお、他の態様においては係止突部１３ではなくて係止凹部１４を連結部材１１に設けることもできる。また第２の額縁枠９に連結部材１１を配することも可能である。
　　　【００１２】
　前記建具本体２は、開き戸、引戸等に用いられる例えば矩形パネル体、板状積層体などであり、本実施形態では、図３に示すように、矩形の周囲枠２０の内部に複数本の縦桟２１と、上下の水平な横桟２２、中間高さの中央部で途切れる水平な横桟２３とを配した枠組の表裏に、中央部の縦桟２１，２１、上下の横桟２２，２２が囲む空間を残して面材を添設することにより、該空間により前記開口部３を形成したパネル状体として構成される。開口部３は本例では縦長矩形状をなすが横長など種々な形状のものが採用できる。
　　　【００１３】
　又前記板状部材４は、図１、２に例示するように、本実施形態では前記開口部３の中央部のガラス板等の透光板４Ａと、その上下に配置される通気ガラリ４Ｂであり、また両者の間には図２に示すように各周縁部を嵌入しうる溝を設けた中仕切材２４が配置される。なお、例えば透光板４Ａ、又は通気ガラリ４Ｂのみからなる場合など１種類の板状部材４を用いることもでき、さらには鏡、有孔、無孔の板状体をも採用できる。
　　　【００１４】
　前記額縁部材５は、前記のように第１の額縁枠７と，第２の額縁枠９とからなる。第１の額縁枠７は、図４、図６，図１１，図１２などに例示する第１の枠材２５を縦長矩形に接合することにより、また第２の額縁枠９は図５、図１０、図１１などに示す第２の枠材２６を同形の縦長矩形に接合することにより構成している。
　　　【００１５】
　前記第１の枠材２５は、前記開口部３の内周面３Ａと平行な基片３０の外端に建具本体２の一面に沿うフランジ３１を設け、かつ基片３０の内端にはコ字状の支持部３２を形成している。支持部３２は、前記基片３０に連なる側片３３と、底片３４と、他方の側片３５とからなり、前記開口部３側に開口する溝部３２Ａを形成する。またこの溝部３２Ａは本例では奥部に拡巾の係合部３２ａを有するアリ溝状の係合溝として形成されている。なお溝部３２Ａとして鳩尾状の結合溝とすることもできる。
　　　【００１６】
　さらに前記フランジ３１の略中央内面と前記側片３３先端とには、基片３０と平行かつ開口部３に向く係止面ａを有する爪状部３７，３９が連続して形成される。この２つの係止面ａ，ａ間の前記フランジ３１，基片３０，側片３３の領域は、前記連結部材１１を取り付けるための連結部材取付部２５ａを形成する。なお前記他方の側片３５は基片３０の厚さ分短く形成されるとともに、前記基片３０，フランジ３１の外面に化粧シートＡが添設される。
　　　【００１７】
　前記第２の枠材２６は、前記図５、図１０、図１１などに示すように、開口部３の内周面３Ａと平行な基片４０の外端に建具本体２の他面に沿うフランジ４１を設け、かつ前記フランジ４１の内面に突設した平行な２条の突片４３，４３の先端で向き合い係止面ａを有する爪状部４４，４４の間で前記係止凹部１４（係止嵌合部１２）を形成している。なお基片４０，フランジ４１には外面に化粧シートＡが添設される。
　　　【００１８】
　このような第１，第２の枠材２５，２６は、それぞれ縦の枠材Ｂと横の枠材Ｃとして縦長矩形に接合されることにより前記第１の額縁枠７、第２の額縁枠９をそれぞれ構成する。また第１の額縁枠７の組立に際しては前記支持部３２により予め板状部材４を組込む。
　　　【００１９】
　組み込み時において、板状部材４が例えばガラス板などの透光板４Ａ等の比較的薄い板状体であるときには、前記支持部３２の溝部３２Ａ内に
図４
　　　【００２０】
　さらに板状部材４が例えば前記通気ガラリ４Ｂ等の成形材である場合、図１１に略示するように、周縁に前記溝部３２Ａの係合部３２ａに嵌合する張出し部４ｂを成形して、抜け落ち不能に嵌合させて取り付けることもできる。
　　　【００２１】
　前記第１の額縁枠７の側部をなす縦の枠材Ｂに前記連結部材１１を取り付ける。また連結部材１１は、本例では複数の連結ピース１１Ａによって構成される。
　　　【００２２】
　前記連結ピース１１Ａは、図６〜図９、及び図１１，図１２に示すように、前記第１の枠材２５の前記フランジ３１内面に沿う背板状の主片５０に、その開口部３側の端縁から直角に突出しかつ先端部分を前記係止突部１３である係止嵌合部１２とした結合部５１と、本例では該結合部５１の両側かつ間隙Ｇを隔てて、前記主板５０の前記内周面３Ａ側（反開口部側）の端縁から直角に一体に突出する案内部５２，５２とが設けられる。なお、前記結合部５１と案内部５２とは、連結ピース１１Ａを建具本体２に取付けることにより建具本体２の厚さ方向に延在することとなる。
　　　【００２３】
　なお前記主片５０の前記内周面３Ａ側の端縁に、前記爪状部３７の係止面ａと接する連続した当面ｂを具えた切欠き部からなる受部５３を形成している。
　　　【００２４】
　さらに前記結合部５１は、図１１に詳示するように、前記主片５０の前記開口部３側の端縁から突出する第１の継ぎ片５５と、その内端で内周面３Ａ側にのびる第１の受片５６とを有し、また前記第１の受片５６には、前記第１の額縁枠２５の爪状部３９の係止面ａに摺動ずる当面ｂを有する複数、本例では２つの受部５７（図４、図７、図９に示す）を両端部に形成している。
　　　【００２５】
　このように、前記主片５０と、第１の継ぎ片５５と、第１の受片５６とは、主片５０の当面ｂが爪状部３７の係止面ａに、第１の受片５６の当面ｂが爪状部３９の当面ａにそれぞれ当接することにより、これらは前記第１の枠材２５の前記連結部材取付部２５ａに摺動可能に取り付けられるスライド用のコ字部を形成し、これにより、連結ピース１１Ａは、前記連結部材取付部２５ａで抜け落ち不能に保持されてスライドできる。なお係止面ａ、当面ｂ等における押し付け力、嵌合を強くして移動抵抗を加減することもできる。又この係止面ａ、当面ｂはともに内周面Ａと平行であり両者が同じ向きとなることによって強固に係合できる。
　　　【００２６】
　なお前記受部５７は、本例では、図６，図１１に例示するように、第１の受片５６を切り起こすことにより形成した切起こし片５７ａを用いて弾性を付与しているが、第１の受片５６の一部を膨らませた膨出部（図示せず）としてもよく、また第１の受片５６に接着、溶着等により取り付けた硬質、軟質のクッション材などの弾性片（図示せず）などいずれを用いてもよい。
　　　【００２７】
　さらに、前記第１の受片５６の内端には、前記支持部３２の前記底片３４に沿う第２の継ぎ片５９を介して、前記支持部３２の側片３５に接してのびる第２の受片６０を形成する。さらにこの第２の受片６０には、前記係止突部１３である係止嵌合部１２を有する先端部分６１を形成している。
　　　【００２８】
　なお前記先端部分６１の先端の係止突部１３は、前記第２の枠材２６の前記係止凹部１４に挿入されかつ前記係止面ａ，ａに当接する当面ｂ，ｂを有するやじり状の差込部１３Ａを具えるとともに、その内方に位置決め用の止め部６１Ａを突設している。なお係止面ａ、当面ｂはともに内周面３Ａに対して直角に向き、両者が同じ向きとなることによって両者は強固に係合できる。このように、係止嵌合部１２である係止凹部１４、係止突部１３の係止面ａ、当面ｂが内周面に対して直角に向き、しかも前記のごとく爪状部３７、３９の係止面ａが開口部３に向くことにより、爪状部３７、３９の係止面ａと係止嵌合部１２の係止面ａとは直交する向きにあることは明らかである。
　　　【００２９】
　又前記案内部５２は、第１の額縁枠７が開口部３に嵌入される際に、該開口部３の内周面３Ａに接して案内しかつ適宜ステ６２により補強されるそり状体であり、かつ図６，図９，図１２等に示す如く、内周面３Ａ側に複数の係止片５４が形成される。
　　　【００３０】
　さらに前記連結ピース１１Ａは、図６、図７，図９に一点鎖線で示すように、前記結合部５１と案内部５２とは薄片状の振止め片６３により継がれ、かつこの振止め片６３は前記間隙Ｇを通りその面が結合部５１の長さ方向に対して直角に向いている。
　　　【００３１】
　このような第１，第２の枠材２５，２６は、それぞれ縦の枠材Ｂと横の枠材Ｃとして接合部材１７、１９を用いて縦長矩形に接合されることにより前記第１の額縁枠７、第２の額縁枠９を構成する。
　　　【００３２】
　この接合部材１７は、図６に略示するごとく、本例では、横の枠材Ｃの全長に沿う胴部６５の両端に、縦の枠材Ｃに沿う小長さの保持部６６，６６を直角に形成したコ字状の基体６７を有する。この基体６７は、第１の枠材２５のフランジ３１内面に接するウエブ６７ａ両端縁に脚片６７ｂ、６７ｃを設けた溝形断面を有する。又ウエブ６７ａは、前記基片３０内面と、前記爪状部３７の係止面ａとの間の巾と等しく形成される。また胴部６５には、図１４に示すように、前記支持部３２の側片３３（爪状部３９先端部）と前記底片３４とに接する切欠き面を有する切欠き部７０を形成した複数の突出片７１を設けている。この突出片７１は先端部の前記内周面３Ａ側を曲線状、傾斜状とすることにより、取付に際して開口部３の内周面３Ａに摺接して案内でき、かつ第１の額縁枠７を位置決めするとともに適宜食い込んで建具本体２，額縁部材５の厚さなどの寸法のバラツキを吸収できる。
　　　【００３３】
　図１３、図１４に示す如く、接合部材１７を横の枠材Ｃ側から挿入することにより、横の枠材Ｃのフランジ３１内面に胴部６５のウエブ６７ａが当接し、かつ内周面３Ａ側の脚片６７ｂが前記爪状部３７の係止面ａに、他方の脚片６７ｃが基片３０内面に接する。しかも前記切欠き部７０が支持部３２の側片３３，底片３４に接しうることにより、胴部６５は確実に横の枠材Ｃに係止される。
　　　【００３４】
　さらに、保持部６６，６６は基体６７の前記ウエブ６７ａが縦の枠材Ｂのフランジ３１に当接し、さらに保持部６６，６６の前記内周面３Ａ側の前記脚片６７ｂが前記爪状部３７の係止面ａに、他方の脚片６７ｃが基片３０内面に接することによって、縦、横の枠材Ｂ、Ｃを正しく直角に角度出しするとともに、両側の縦の枠材Ｂ，Ｂ間の距離を正しく設定して長さ出しできる。又接合部材１７と枠材Ｂ、Ｃとは接着剤を用いて接着することにより取付強度を高めうる。
　　　【００３５】
　また、第２の額縁枠９の接合部材１９は、図１０、図１４に示すごとく、胴部６５とこれに直角な保持部６６、６６からなる基体６７を有し、この基体６７は、前記係止凹部１４の平行な２条の突片４３，４３を嵌入しうる溝形部７３を具える。従って、この溝形部７３に、縦の枠材Ｂ、横の枠材Ｃの前記突片４３，４３を背面から挿入することにより、縦、横の枠材Ｂ、Ｃを直角に接合しかつ長さ出しでき、第２の額縁枠９を形成できる。なお同様に接着剤を用いて取付強度を高めうる。
　　　【００３６】
　建具本体２への組み込みに際しては、図１２に示すように、本例では板状部材４が装着された矩形の第１の額縁枠７を、建具本体２の開口部３に挿入する。このとき連結ピース１１Ａの前記案内部５２が内周面３Ａに接しつつ押し込まれて案内するとともに、その外面に設けた戻りを防ぐ複数の前記係止片５４が内周面３Ａに食い込み、かつ遊びをなくししかも開口部２の形成誤差を吸収して取り付けうる。これにより建具本体２の反転に際しても第１の額縁枠７の抜け落ちを効果的に防止する。
　　　【００３７】
　フランジ３１がこの建具本体２の側面に当接するまで押入したのち、前記案内部５２を、釘、ビスなどの固着具７７を用いて内周面３Ａに保持させることができる。なおこのような固着具７７は、連結ピース１１Ａの位置ズレ防止のために用いられる。
　　　【００３８】
　次に第２の額縁枠９を開口部３の他方の面から押し入れる。この押入により係止凹部１４は連結ピース１１Ａの係止突部１３に嵌着係止され、両者は一体化できる（図１１）。なおそのとき係止突部１３の前記差込部１３Ａは、係止凹部１４に挿通され前記当面ｂ，ｂが係止凹部１４の係止面ａ，ａに係合することによって両者が嵌着係合する。又係止突部１３の止め部６１Ａが挿入深さを規制する。
　　　【００３９】
　そのとき、係止突部１３を有する先端部分６１の根元部が、前記のように第２の受片６０を介して、第１の枠材２５の支持部３２で担持されている結果、この支持部３２が係止突部１３と係止凹部１４との嵌着力など嵌着時に作用する力を受け、係止突部１３の内方への変形、逃げを防止できる。
　　　【００４０】
　また、連結ピース１１Ａは好ましくは合成樹脂などの可撓性を有する硬質材を用いて成形される。これにより、前記結合部５１は図７に３点鎖線で示すごとく、嵌着後において、内周面３Ａで係止片５４により保持され静止する案内部５２に対して、結合部５１は、主片５０，振止め片６３の弾性的変形により建具本体２の厚さ方向内方に向けて移動できる。
　　　【００４１】
　このため、例えば建具本体２の厚さが大きい場合など、係止突部１３の位置が基準位置よりも、第２の額縁枠９の係止凹部１４からの距離が大であるときにも第２の額縁枠９を強く押し下げることにより、両者を嵌着係合させたのち、結合状態を維持したまま、前記結合部５１が前記のごとく建具本体２の厚さ方向内方に向けて弾性的に移動するため、建具本体２の厚さの変動を有利に吸収できるのである。
　　　【００４２】
　なお本発明の建具において、連結部材を第２の額縁枠に設けることも、連結部材に係止突部に変えて係止凹部を形成することもできる。さらには額縁部材と掛止部（図示せず）を設けて連結部材をスライド不能とするなど、種々変更できる。
　　　【００４３】
　　【発明の効果】
　叙上の如く本発明の建具は、第１，第２の額縁枠の係止突部、係止凹部の少なくとも一方を連結部材を用いて形成することにより、その枠材に直接に係止突部、又は係止凹部を形成する必要をなくし、枠材構造を簡略化し成形性、生産性を向上する。さらに連結部材の長さを自在に選択することができるため、両者の嵌着長さを必要十分な小長さとでき、嵌着、組み込み作業を容易とし、施工性を向上しうる。
　　　【００４４】
　さらに、第１，第２の額縁枠が嵌着係合によって取り付けうるため、釘、ビスなどの使用をなくしそれらの頭部の露出がなく見映えがよいとともに、第１の額縁枠は板状部材の周縁を保持するため、額縁枠による挟み込み取付の場合に比して作業を簡略化できる。
　　　【００４５】
　又請求項２の発明のように、連結部材を複数の連結ピースから構成することにより、額縁枠の形状、長さに応じて配置位置、個数を選択でき、連結部材の汎用性を高め、組立性とコストの低減に役立つ。
　　　【００４６】
　また請求項３の発明のように、連結ピースが、係止嵌合部を有する結合部と、前記開口部の内周面に当接する案内部とを一体に具えることによって、第１の額縁枠の建具本体への取付と、第２の額縁枠との嵌着係合とを同時にでき、作業能率を高めるとともに、精度の良い取付を可能とする。
　　　【００４７】
　さらに請求項４のように、前記案内部が開口部の内周面で係止されることにより該案内部が内周面で保持される係止片が戻りを防ぎ、かつに内周面に食い込み、遊びをなくししかも開口部の形成誤差を吸収して取り付けうるとともに、建具本体の反転に際しても第１の額縁枠の抜け落ちを効果的に防止する。
　　　【００４８】
　さらに結合部が、保持された前記案内部に対して、建具本体の厚さ方向に弾性移動可能であることにより建具本体の厚さのバラツキを吸収して強固な取り付けが可能となる。
【図面の簡単な説明】
　　【図１】
　本発明の実施の形態の一例を示す正面図である。
　　【図２】
　その縦断面図である。
　　【図３】
　建具本体の枠組を例示する正面図である。
　　【図４】
　第１の枠材を例示する断面図である。
　　【図５】
　第２の枠材を例示する断面図である。
　　【図６】
　第１の額縁枠を例示する分解斜視図である。
　　【図７】
　連結ピースを例示する平面図である。
　　【図８】
　その側面図である。
　　【図９】
　その背面図である。
　　【図１０】
　第２の額縁枠を例示する分解斜視図である。
　　【図１１】
　連結部材による結合状態を例示する断面図である。
　　【図１２】
　第１の額縁枠の開口部内への挿入状態を例示する断面図である。
　　【図１３】
　各部材を簡略化しその配置のみを例示する斜視図である。
　　【図１４】
　接合部材の取付状態を例示する断面図である。
　　【符号の説明】
２　　　建具本体
３　　　開口部
３Ａ　　内周面
４　　　板状部材
４ａ　　封止保持材
４ｂ　　張出し部
５　　　額縁部材
７　　　第１の額縁枠
９　　　第２の額縁枠
１１　　連結部材
１１Ａ　連結ピース
１２　　係止嵌合部
１３　　係止突部
１３Ａ　差込部
１４　　係止凹部
１７　　接合部材
１９　　接合部材
２５　　第１の枠材
２５ａ　連結部材取付部
２６　　第２の枠材
３２　　支持部
３２Ａ　溝部
３２ａ　係合部
３７　　爪状部
３９　　爪状部
５１　　結合部
５２　　案内部
５３　　受部
５４　　係止片
５７　　受部
５７ａ　切起こし片
６１　　先端部分
６５　　胴部
６６　　保持部
７０　　切欠き部
７１　　突出片
ａ　　　係止面
ｂ　　　当面